(57)【特許請求の範囲】
【請求項１】
自動販売機の外扉の開口部に内側から遊嵌される光透過性の縁枠を備えたコイン投入口であって、前記縁枠を照明するコイン投入口照明装置は、該縁枠の上半分に対向して円弧状に形成した透明部材製の導光部と、該導光部の円弧に沿って配置され、該導光部に光を照射する複数個の発光ダイオードを実装した基板と、前記導光部および基板の後方および側面を覆い前記導光部および基板を取付け保持するケースとから構成したことを特徴とするコイン投入口照明装置。
【請求項２】
請求項１記載のコイン投入口照明装置において、前記導光部の先端部は発光ダイオードに対向する部位を凸面とし、隣り合う発光ダイオードの中間に対向する部位を凹面とする複数個の円弧を形成したことを特徴とするコイン投入口照明装置。
【請求項３】
請求項１または請求項２に記載のコイン投入口照明装置において、該コイン投入口照明装置は、該コイン投入口照明装置を備えた自動販売機の照明灯に連動して点灯、点滅のいずれかを行うことを特徴とするコイン投入口照明装置。
【請求項４】
請求項１ないし請求項３のいずれかに記載のコイン投入口照明装置において、該コイン投入口照明装置は、該コイン投入口照明装置を備えた自動販売機の全商品売り切れ時および故障時に消灯するようにしたことを特徴とするコイン投入口照明装置。
【発明の詳細な説明】
【０００１】
【発明の属する技術分野】
この発明は、夜間あるいは暗い場所に設置された自動販売機のコイン投入口の位置が容易に確認できるようにしたコイン投入口照明装置に関する。
コイン投入口照明装置を備えていない自動販売機では夜間等においてコイン投入口を確認することが７できないことから、コイン投入口を照明することが望まれ、またその場合にもデザイン上の制約からコイン投入口の位置や外形形状を変更することなく既存のものと同一であることが望まれる。
【０００２】
【従来の技術】
図４はこの種の従来のコイン投入口の側断面図を示す。この図４において、１はコイン投入口、２は横長孔を開口したコイン投入部、３はコイン投入部２の外周に接する光透過性の樹脂からなる縁枠、４はコイン投入部２から投入されたコインを図示されていないコイン識別装置に導くコインシュート、５は前記コイン投入部２、および縁枠３、コインシュート４を一体的に取付け保持する金具、６はこのコイン投入口１が装着される外扉、７はコイン投入口１を外扉の裏側から照明するために利用した図示していない展示室の蛍光灯の漏れ光を示す。上記の構成でコイン投入口１は、コイン投入部２の裏面のねじ孔を有する突出部に縁枠３の垂直面を挟んで金具５の裏面から友締めして、該金具５をコインシュート４に取り付けて一体に構成して、縁枠３を自動販売機の外扉６の開口部に内側から遊嵌して、コインシュート４を外扉６にねじ止めしている。そして、コイン投入口１は後方から展示室の蛍光灯の漏れ光７により照明されて、漏れ光７が縁枠３を通過して外扉６の外側に導かれて、外扉６の外側からはコイン投入部２が光の輪の中に見えるようにしている。
【０００３】
【発明が解決しようとする課題】
ところで従来の構成では、コイン投入口の背後のスペースが少ないことから、コイン投入口を裏側から照明するための専用の照明器具を取付けることができず、展示室の蛍光灯の漏れ光を利用して照明しているので縁枠の照明が弱く、コイン投入口の位置を強調するまでには至らなかった。
【０００４】
この発明は上記課題を解決するためになされたもので、その目的とするところは、コイン投入口の裏側の小スペースに収納して照明器具を装着していない既成品にも取付け可能な小型で一体にしたコイン投入口照明装置を提供することにある。
【０００５】
【課題を解決するための手段】
上記課題を解決するために請求項１記載の発明は、自動販売機の外扉の開口部に内側から遊嵌される光透過性の縁枠を備えたコイン投入口であって、前記縁枠を照明するコイン投入口照明装置は、該縁枠の上半分に対向して円弧状に形成した透明部材製の導光部と、該導光部の円弧に沿って配置され、該導光部に光を照射する複数個の発光ダイオードを実装した基板と、前記導光部および基板の後方および側面を覆い前記導光部および基板を取付け保持するケースとから構成したことを特徴とする。
【０００６】
上記構成によりコイン投入口照明装置は発光部と導光部とがケースに一体保持され、縁枠の裏面上半分に対向して配備しているので、コインシュートの上に配備することが可能になり、また、発光源を複数個にして該発光源の光が導光部を通して縁枠を直接照明しているので、外扉側から見るとコイン投入口が光の円弧で縁取られてコイン投入口の位置を強調することが可能になる。
【０００７】
また、請求項２記載の発明のように、請求項１記載のコイン投入口照明装置において、前記導光部の先端部は発光ダイオードに対向する部位を凸面とし、隣り合う発光ダイオードの中間に対向する部位を凹面とする複数個の円弧を形成することができる。
上記構成により導光部の先端の円弧がレンズの役目をして発光ダイオードの光を縁枠裏面に略一様に拡散させることが可能になる。
【０００８】
さらに、請求項３記載の発明のように、請求項１または請求項２に記載のコイン投入口照明装置において、該コイン投入口照明装置は、該コイン投入口照明装置を備えた自動販売機の照明灯に連動して点灯、点滅のいずれかを行うと良い。さらにまた、請求項４記載の発明のように、請求項１ないし請求項３のいずれかに記載のコイン投入口照明装置において、該コイン投入口照明装置は、該コイン投入口照明装置を備えた自動販売機の全商品売り切れ時および故障時に消灯しても良い。
【０００９】
上記構成により照明を不要とする際は消灯するのでその分省エネルギになる。
【００１０】
【発明の実施の形態】
図１はこの発明の実施例の主要部の断面構成図、図２は図１のコイン投入口照明装置の外観図、図３は図２の分解図を示す。この図１〜図３において、従来例と同一の符号を付けた部材はおおよそ同一の機能を有するのでその説明は省略する。この図１において、１はコイン投入口、２は横長孔を開口したコイン投入部、３はコイン投入部２の外周に接する光透過性の樹脂からなる縁枠、４はコイン投入部２から投入されたコインを図示されていないコイン識別装置に導くコインシュート、５は前記コイン投入部２、および縁枠３、コインシュート４を一体的に取付け保持する金具、６はこのコイン投入口１が装着される外扉、８は縁枠３を後方から照明するコイン投入口照明装置、９は縁枠３の上半分の裏面に対向する位置に複数個の発光ダイオード１０を実装した、コイン投入口照明装置８の基板、１１は発光ダイオード１０の光を縁枠３に導く導光部、１１ａは導光部１１の先端の複数個の円弧状部、１２は前記基板１０および導光部１１を取付けるケース、１２ａはコイン投入口照明装置８を外扉６に取付けるためにケース１２に穿孔された取付孔、１３（図２、図３参照）は前記基板１０および導光部１１をケース１２に取付けるねじを示す。図において、コイン投入口１は、コイン投入部２の裏面のねじ孔を有する突出部に縁枠３の垂直面を挟んで金具５の裏面から友締めして、該金具５をコインシュート４に取り付けて一体に構成して、縁枠３を自動販売機の外扉６の開口部に内側から遊嵌して、コインシュート４を外扉６にねじ止めしている。
【００１１】
そして、複数個の発光ダイオード１０を実装した基板９、および発光ダイオード１０の光を縁枠３に導く導光部１１、ケース１２をねじ１３で一体的に取付たコイン投入口照明装置８は、コインシュート４の下方に向かう傾斜部の上方に配備して、導光部１１の先端の円弧状部１１ａの外面を縁枠３の裏面の上半分に臨ませて取付孔１２ａにねじを挿通して外扉６に取付けられている。
【００１２】
上記の構成でコイン投入口照明装置８は、発光ダイオード１０の連続光あるいは点滅光を導光部１２を通して、該導光部１２の先端の円弧状部１２ａで拡散させて縁枠３の裏面の上半分に略一様に照射し、該縁枠３を通して外扉６の外に発散して、コイン投入部２の上半分を照明する。また、発光ダイオード１０は商品の売り切れ時や自動販売機の故障等により商品の販売が不可能となった場合には消灯するように制御される。
【００１３】
【発明の効果】
この発明によれば、コイン投入口照明装置は発光ダイオードを使用して小型化した一体形の組立品としているので、コイン投入口を照明していない既存機にも取付けが可能であり、既存機の外観に特長を付加して集客力を向上させる効果がある。
【００１４】
また、自動販売機が併設されている際に、コイン投入口照明装置を点滅させることにより、際立って目立たせる効果がある。
【図面の簡単な説明】
【図１】  この発明の実施例の主要部分の断面構成図
【図２】        図１のコイン投入口照明装置の外観図
【図３】        図２の分解図
【図４】        従来例のコイン投入口の側断面図
【符号の説明】
８          コイン投入口照明装置
９          基板
１０          発光ダイオード
１１          導光部
１１ａ        円弧状部
１２          ケース
１２ａ        取付孔
１３          ねじ
【図１】
0003774990.tif 000002
【図２】
0003774990.tif 000003
【図３】
0003774990.tif 000004
【図４】
0003774990.tif 000005